(57)【要約】【課題】具等を入れた中皿を短時間内に容器本体に対して正確に位置決めできて、バックヤードでの商品作り作業を効率的に行える包装用容器を提供すること。【解決手段】フランジ１１を有した容器本体１０と、この容器本体のフランジ１１に嵌合される係止フランジ２１を有した中皿２０と、この中皿２０の係止フランジ２１を包み込んで、容器本体１０のフランジ１１に嵌合される嵌合フランジ３１を有した蓋体３０と、からなる包装用容器１００であって、容器本体１０側のフランジ１１の上面またはその近傍の少なくとも一部に、中皿２０の係止フランジ２１の全体を位置決めするための目印１２を付したこと。【選択図】図１
2017095118.tif 000002
【特許請求の範囲】
【請求項１】
フランジを有した容器本体と、この容器本体の前記フランジに係止される係止フランジを有した中皿と、この中皿の前記係止フランジを包み込んで、前記容器本体のフランジに嵌合される嵌合フランジを有した蓋体と、からなる包装用容器であって、
前記容器本体側のフランジの上面またはその近傍の少なくとも一部に、前記中皿の前記係止フランジの全体を位置決めするための目印を付したことを特徴とする包装用容器。
【請求項２】
前記目印は、前記フランジの上面またはその近傍に形成した粗面、着色部、模様部、凹凸部、または矢印のいずれか少なくとも一種によって形成したものであることを特徴とする請求項１に記載の包装用容器。
【請求項３】
前記中皿の係止フランジは、前記容器本体側のフランジの環状凸部外側面を覆うスカート部を有したものであることを特徴とする請求項１または請求項２に記載の包装用容器。
【発明の詳細な説明】
【技術分野】
【０００１】
本発明は、包装用容器に関し、特に、容器本体、中皿、及び蓋体からなる包装用容器に関するものである。
【背景技術】
【０００２】
容器本体、中皿、及び蓋体からなる包装用容器は、例えば「麺」と、これに使用する「具」や「麺汁、またはその素」とを区分けして包装するのに適したものであり、これらの容器本体、中皿、及び蓋体を合成樹脂シートからシート成形することが一般的に行われている。このことは、「カット野菜」と「ドレッシング」を包装した容器に関しても言えることであり、スーパーやコンビニエンスストアで日々大量に使用されているものである。
【０００３】
このような容器本体、中皿、及び蓋体からなる包装用容器については、スーパーやコンビニエンスストア等でのバックヤードにおいて、容器本体内に「麺やカット野菜」を収納してから、この容器本体上に、「具」や「麺汁、またはその素」あるいは「ドレッシング」を入れた中皿を載置し、最後に蓋体を容器本体に嵌合して全体を包装するという作業をしなければならない。「下拵え」し立ての食品を程よい状態で消費者に消費してもらうためである。
【０００４】
以上のようなバックヤードでの包装作業は、相当量をこなさなければならないし、しかも「時間限定商品」ででもあれば短時間内に行わなければならない。まして、この種の容器本体、中皿、及び蓋体からなる包装用容器が「シート成形」されたものであると、それぞれが比較的柔らかいものでるため、その短時間内での取り扱いは、実は、非常に難しいものである。
【０００５】
特に、「中皿」については、後に全体を「蓋体」によって包み込まなければならないし、「容器本体」上に単に載置されるものであるため、文字通り「皿状」の薄いものとしなければならないから、「具」等を入れたときには乗せたものがこぼれないように慎重に取り扱わなければならない。換言すれば、容器本体、中皿、及び蓋体からなる包装用容器においては、その「中皿」の取り扱いをし易くするために、次のような条件を満たす必要がある。
（１）「具」等を入れた中皿を、短時間内に「容器本体」に対して正確に位置決めできるようにすること。
（２）容器本体、中皿、及び蓋体からなる包装用容器が、「シート成形」したものであれば、中皿の容器本体に対する位置決めのための加工は非常に限られたものとなるため、その加工への工夫が必要であること。
（３）皿状の薄い「中皿」は、後に蓋体を容器本体に嵌合して全体を包み込まなければならないものであるから、その際の力によって変形したり中身をこぼしたりしないように、包装用容器に工夫しなければならないこと。
【０００６】
勿論、この種のシート成形された包装用容器については、特許文献１〜特許文献３にて提案されているように、その目的に応じた種々な工夫がなされている。
【先行技術文献】
【特許文献】
【０００７】
【特許文献１】実開昭５３−１４４４４０号公報
【特許文献２】実開昭５１−３０６０２号公報
【特許文献３】特開平０７−３００１３４号公報
【発明の概要】
【発明が解決しようとする課題】
【０００８】
特許文献１に記載された発明では、容器のフランジ上面全体に突起を形成して、容器を覆うフィルムの密着性を向上させようとするものであり、特許文献２の発明では、特許文献１とは逆に、フランジに形成した「粗面」によって容器を覆うフィルムが密着しないようにするものであり、そして、特許文献３の発明では、容器のフランジに「細かいエンボス部」を形成することにより、複数の容器を重ねたときのフランジでの「ブロッキング」を防止しようとするものである。
【０００９】
つまり、これらの特許文献１〜３の発明では、それぞれの目的に応じた加工を容器本体のフランジに加工を施すものであり、それぞれの目的に応じた効果を発揮するものではあるが、本発明が問題としている上記（１）〜（３）の点を解決しようとするものではない。
【００１０】
そこで、本発明者等は、容器本体、中皿、及び蓋体からなる包装用容器について、特に、バックヤードにおける収納作業を効率的に行えるようにするにはどうしたらよいか、について種々検討を重ねてきた結果、本発明を完成したのである。
【００１１】
すなわち、本発明の第一に目的とするところは、具等を入れた中皿を短時間内に容器本体に対して正確に位置決めできて、バックヤードでの商品作り作業を効率的に行える包装用容器を提供することにある。
【００１２】
また、本発明の第二に目的とするところは、具等を入れた中皿を短時間内に容器本体に対して正確に位置決めできて、蓋体を容器本体に嵌合して中皿全体を包み込む際に、中皿が変形したり中皿の具等が零れ出ないようにすることのできる包装用容器を提供することにある。
【課題を解決するための手段】
【００１３】
以上の課題を解決するために、まず、請求項１に係る発明の採った手段は、後述する最良形態の説明中で使用する符号を付して説明すると、
「フランジ１１を有した容器本体１０と、この容器本体１０のフランジ１１に係止される係止フランジ２１を有した中皿２０と、この中皿２０の係止フランジ２１を包み込んで、容器本体１０のフランジ１１に嵌合される嵌合フランジ３１を有した蓋体３０と、からなる包装用容器１００であって、
容器本体１０側のフランジ１１の上面またはその近傍の少なくとも一部に、中皿２０の係止フランジ２１の全体を位置決めするための目印１２を付したことを特徴とする包装用容器１００」
である。
【００１４】
この請求項１に係る包装用容器１００は、図１及び図３に示すように、容器本体１０側のフランジ１１の上面またはその近傍の少なくとも一部に、中皿２０の係止フランジ２１の全体を位置決めするための目印１２を付したものであり、この目印１２によって中皿２０の容器本体１０上への載置を容易かつ確実に行えるようにしたものである。
【００１５】
本発明に係る包装用容器１００は、「麺」等の主食材を収納する容器本体１０と、副食材等を収納する中皿２０と、この中皿２０を包むべく容器本体１０に嵌合される蓋体３０とからなるが、これら容器本体１０、中皿２０、及び蓋体３０は、別々にシート成形されることの多いものである。そして、スーパーやコンビニエンスストアのバックヤードにおいて、容器本体１０及び中皿２０のそれぞれに適した収納物を収納して重ね合わせ、最後に蓋体３０による密封を行って商品とされる。
【００１６】
この包装用容器１００の内の中皿２０の深さは、例えば図４の（イ）〜（ハ）にて示すように、容器本体１０のそれに対して半分以下であり、文字通り「皿状」のものとなっているから、これに副食材等を収納すると、曲がり易いものとなっている。また、この中皿２０の外形は、後に容器本体１０に対して嵌合される蓋体３０によって包み込まれるものであることから、容器本体１０の内形と同程度の大きさとなっている。このため、バックヤードにおいて「麺」等の主食材を収納した容器本体１０上に、副食材等を収納した中皿２０を載置しようとする場合、作業者が容器本体１０に中皿２０を載置する位置を見失わないで微妙な位置合わせを行わなければならず、従来では時間が掛かったり、折角収納したものを零したりすることがあったのである。
【００１７】
この点、この請求項１に掛かる包装用容器１００では、上述したように、容器本体１０側のフランジ１１の上面またはその近傍の少なくとも一部に、中皿２０の係止フランジ２１の全体を位置決めするための目印１２を付したから、この目印１２を参照すれば中皿２０の容器本体１０に対する位置決めが確実かつ短時間内に行えて、収納したものの零しも防止できることになる。
【００１８】
容器本体１０に形成した目印１２は、例えば実施形態を示す図１及び図２の例では、フランジ１１上面の全体に形成してあるが、この目印１２は容器本体１０に対する中皿２０の位置決めを行う際の文字通り目印であるから、目印としての役目を果たすことができれば、これを部分的（例えば、点線状、あるいはフランジ１１の形状を示すことができる程度のブロック状）に形成して実施してもよいものである。また、この目印１２は、例えば実施形態を示す図１及び図２の例では、フランジ１１上面に形成してあるが、目印としての役目を果たすことができれば、フランジ１１の所謂スカート部や、その他の部分に形成して実施してもよいものである。
【００１９】
この目印１２については、後述する請求項２における発明でも説明するように、フランジ１１の上面またはその近傍に形成した粗面、着色部、模様部、凹凸部、または矢印のいずれか少なくとも一種によって形成することができるものである。
【００２０】
従って、この請求項１に係る包装用容器１００は、具等を入れた中皿２０を短時間内に容器本体１０に対して正確に位置決めできるものとなっているのであり、バックヤードでの商品作り作業を効率的に行えるものとなっているのである。
【００２１】
以上の課題を解決するために、請求項２に係る発明の採った手段は、上記請求項１に記載の包装用容器１００について、
「目印１２は、フランジ１１の上面またはその近傍に形成した粗面、着色部、模様部、凹凸部、または矢印のいずれか少なくとも一種によって形成したものであること」
である。
【００２２】
ここで、「粗面」または「凹凸部」とは、フランジ１１の上面またはその近傍に射し込んだ光が乱反射できるようにした面または部分を言うものであり、この乱反射した光がフランジ１１の上面またはその近傍の存在を作業者に明確に示すものである。この「粗面」または「凹凸部」を形成するには、フランジ１１の上面またはその近傍に「ローレット加工」を施したり、文字通り「凹凸」を形成することによって簡単に実施できる。勿論、この中皿２０が「シート成形」されるものであれば、成形型に「ローレット加工」や「凹凸形成」ができる部分を設けておけばよい。
【００２３】
一方で、「着色部」、「模様部」、または「矢印」を目印１２とするには、そのような印刷を成形後に施したり、シート成形すべきシート材料に印刷を予め施しておいたり、あるいは、着色シートやシールの貼付を行ったりして、容易に対処できる。
【００２４】
従って、この請求項２に係る包装用容器１００は、上記請求項１のそれと同様な機能を発揮する他、目印１２自体の形成も容易に行えるものとなっているのである。
【００２５】
また、上記課題を解決するために、請求項３に係る発明の採った手段は、上記請求項１または請求項２に記載の包装用容器１００について、
「中皿２０の係止フランジ２１は、容器本体１０側のフランジ１１の環状凸部１１ａ外側面を覆うスカート部２１ａを有したものであること」
である。
【００２６】
上述してきたように、そもそも中皿２０は、容器本体１０の所定位置に載置された後、蓋体３０によって全体が包まれた状態で覆われるものであるが、その際に、蓋体３０はその嵌合フランジ３１にて容器本体１０側のフランジ１１に嵌合される。また、この中皿２０が容器本体１０に載置されるにあたって、その係止フランジ２１が容器本体１０側のフランジ１１に係止されることにより、中皿２０の容器本体１０に対する位置決めがなされる。ここで、容器本体１０側のフランジ１１は、図３の（ロ）に示すように、他の部分より大きく上方に突出した環状凸部１１ａを有しているものであり、この環状凸部１１ａの内外に、中皿２０の係止フランジ２１や蓋体３０の嵌合フランジ３１が係止され嵌合されるのである。
【００２７】
ところで、この中皿２０の容器本体１０に対する位置決めが係止だけによってなされていると、短時間内に作業を終えなければならない作業者が、重量バランスの悪い副食材等を盛り付けた中皿２０を容器本体１０に載置したり、中皿の副食材等を抑え込んだ状態で容器本体１０に蓋体３０を嵌合したりする際に、思いあまって力を入れ過ぎてしまうことがあり得るのであり、その際に、折角容器本体１０に対する位置決めをしておいた中皿２０の容器本体１０に対する位置がズレでしまう。そうなると、中皿２０の容器本体１０に対する位置決めのやり直しが必要となるだけでなく、折角中皿２０上に収納した具等が零れ出てしまって、当該包装用容器１００に対する収納作業時間が長く掛かってしまう。
【００２８】
そこで、この請求項３の包装用容器１００では、中皿２０の係止フランジ２１が容器本体１０側のフランジ１１の環状凸部１１ａ外側面を覆うスカート部２１ａを有したものとしておくことによって、蓋体３０の嵌合フランジ３１を容器本体１０側のフランジ１１に嵌合する際に、係止フランジ２１側のスカート部２１ａが容器本体１０に対する保持機能を発揮するようにしたものである。また、蓋体３０の容器本体１０に対する嵌合完了時に、容器本体１０側のフランジ１１と、蓋体３０側の嵌合フランジ３１との間に、中皿２０の係止フランジ２１の一部であるスカート部２１ａを完全に挟み込むようにして、その後の、中皿２０の容器本体１０に対するガタ付きが発生しないようにしているのである。さらに、本実施形態に係る容器本体１０側のフランジ１１には、図１及び図３の（イ）に示すように目印１２となる「粗面」を形成することによって、容器本体１０に中皿２０が完全に密着した状態で載置されていないので、消費者が容器本体１０から中皿２０を取り出し易くなっている。
【００２９】
従って、この請求項３に係る包装用容器１００は、上記請求項１または請求項２のそれと同様な機能を発揮する他、蓋体３０を容器本体１０に嵌合して中皿１０全体を包み込む際に、中皿２０が変形したり中皿２０の具等が零れ出ないようになっているのである。
【発明の効果】
【００３０】
以上説明した通り、本発明においては、
「フランジ１１を有した容器本体１０と、この容器本体１０のフランジ１１に係止される係止フランジ２１を有した中皿２０と、この中皿２０の係止フランジ２１を包み込んで、容器本体１０のフランジ１１に嵌合される嵌合フランジ３１を有した蓋体３０と、からなる包装用容器１００であって、
容器本体１０側のフランジ１１の上面またはその近傍の少なくとも一部に、中皿２０の係止フランジ２１の全体を位置決めするための目印１２を付したこと」
にその構成上の主たる特徴があり、これにより、具等を入れた中皿２０を短時間内に容器本体１０に対して正確に位置決めできて、バックヤードでの商品作り作業を効率的に行える包装用容器１００を提供することができるのである。
【００３１】
すなわち、本発明によれば、
（１）「具」等を入れた中皿２０を、短時間内に容器本体１０に対して正確に位置決めできる。
（２）容器本体１０、中皿２０、及び蓋体３０からなる包装用容器１００が、「シート成形」したものであれば、中皿２０の容器本体１０に対する位置決めのための加工を、「容器本体１０側のフランジ１１の上面またはその近傍の少なくとも一部に目印１２を付す」という工夫によって簡単に行える。
（３）皿状の薄い中皿２０は、後に蓋体３０を容器本体１０に嵌合して全体を包み込まなければならないものであるが、「中皿２０の係止フランジ２１を、容器本体１０側のフランジ１１の環状凸部１１ａ外側面を覆うスカート部２１ａを有したもの」とすることにより、その際の力によって変形したり中身をこぼしたりしないようにすることができる。
といった効果を得ることのできる包装用容器１００を提供することができるのである。
【図面の簡単な説明】
【００３２】
【図１】本発明に係る包装用容器１００であって、各容器本体１０、中皿２０、及び蓋体３０を少しズラして示した平面図である。
【図２】同包装用容器１００を示すもので、（イ）は各容器本体１０、中皿２０、及び蓋体３０を係止あるいは嵌合した状態の平面図、（ロ）は（イ）の縦断面図である。
【図３】同包装用容器１００を構成している容器本体１０を示すもので、（イ）は平面図、（ロ）は縦断面図である。
【図４】同包装用容器１００を構成する中皿２０と容器本体１０との関係を、（イ）〜（ハ）の３種類を例示するものであり、各（イ）〜（ハ）においては中皿２０の平面図と、これを容器本体１０に係止したときの状態の縦断面図とを同時に示したものである。
【図５】図２の（ロ）を拡大して示したもので、中皿２０の係止フランジ２１に形成してあるスカート部２１ａが、容器本体１０側のフランジ１１と蓋体３０側の嵌合フランジ３１とに挟まれている状態を示す拡大縦断面図である。
【発明を実施するための形態】
【００３３】
以上のように構成した各請求項に係る発明を、図面に示した実施の形態である包装用容器１００について説明すると、図１及び図２には、本実施形態に係る包装用容器１００が示してある。図１では、包装用容器１００の構成部材である容器本体１０、中皿２０、及び蓋体３０をズラして重ねた状態が、図２では各容器本体１０、中皿２０、及び蓋体３０を所定の状態に係止あるいは嵌合させた状態が示してある。
【００３４】
当該包装用容器１００を構成している各容器本体１０、中皿２０、及び蓋体３０は、合成樹脂シートをシート成形することにより形成したものであり、それぞれの成形時において、フランジ１１、係止フランジ２１、及び嵌合フランジ３１が同時に型成形されるものである。本実施形態では、容器本体１０のフランジ１１の環状凸部１１ａ、中皿２０、及び蓋体２０の平面形状は丸型に形成されているが、角型、八角、太鼓型等でも良い。
【００３５】
なお、本実施形態の容器本体１０の材料は、厚さ０．３５ｍｍのＡ−ＰＥＴであり、中皿２０の材料は、厚さ０．２２ｍｍのＡ−ＰＥＴであり、蓋体３０の材料は、厚さ０．２５ｍｍのＡ−ＰＥＴであったが、シート成形できるのであれば、これらの材料に限るものではない。また、これらの容器本体１０、中皿２０、及び蓋体３０を構成する合成樹脂シートは透明なものとしたものであるが、容器本体１０や中皿２０に収納した収納物の視認を蓋体３０外から容易にできるようにするためである。
【００３６】
容器本体１０は、例えば半調理状態で主食となる「麺」や、カットされた野菜等の「サラダ主材」が収納される「深もの」として成形したものであるが、側面には当該容器本体１０自体の剛性を高めたり、装飾性を高めたりするための「凹凸リブ」が形成してあり、この側面上部には、当該容器本体１０自体の剛性を高めたり、後述する中皿２０の載置を行ったり蓋体３０の嵌合フランジ３１を嵌合するためのフランジ１１が形成してある。
【００３７】
この実施形態に係る容器本体１０のフランジ１１上には、図１、及び図３の（イ）に示すように、目印１２が付してあって、この目印１２によってフランジ１１の上面及びその近傍の位置が明確になるようにしてある。この目印１２については、後述するように、フランジ１１の上面またはその近傍に形成した粗面、着色部、模様部、凹凸部、または矢印のいずれか少なくとも一種によって形成することができるのである。これらの目印１２は、フランジ１１の上面またはその近傍に射し込んだ光を乱反射させて、その他の部分（実施形態のように透明で見にくくなっていることが多い）に対して、作業者が明確に区別できるようにするものである。
【００３８】
この目印１２とすべき「粗面」または「凹凸部」は、フランジ１１の上面またはその近傍に「ローレット加工」を施したり、文字通り「凹凸」を形成することによって、何か特別な物を別途用意することなく、簡単に形成できる。勿論、この容器本体１０を「シート成形」する成形型に、「ローレット加工」や「凹凸形成」ができる部分を設けておけば、当該目印１２は簡単かつ容器本体１０の成形時に形成できる。
【００３９】
また、「着色部」、「模様部」、または「矢印」を目印１２とするには、シート成形すべきシート材料に印刷や着色シートの貼付をあらかじめ施しておいたり、別途用意した「着色部」、「模様部」、または「矢印」となるべきシールを貼付したりすることなどで対処することができる。
【００４０】
図１及び図３に示した目印１２は、フランジ１１の上面（具体的には、フランジ１１の環状凸部１１ａ上面）の全てに形成したものであるが、フランジ１１の上面またはその近傍の一部分に形成して実施されることもある。この目印１２は、フランジ１１の上面またはその近傍と、その他の部分とを、作業者が明確に区別できるものであれば十分だからである。
【００４１】
中皿２０は、例えば半調理状態で主食となる「麺」に添加される「調味料」や、カットされた野菜等の「サラダ主材」のための「ドレッシング」を収納するものであり、文字通り「皿状」のものとして形成したものである。また、この中皿２０は、容器本体１０に収納されるものの言わば添え物を収納するものであるから、図１に示す物の他、図４の（イ）〜（ハ）に例示するように、種々な形態のものとして提供される。
【００４２】
また、この中皿２０は、容器本体１０の上に載置されるものであるから、容器本体１０内に落下させないようにする係止フランジ２１がその周囲に形成してある。この係止フランジ２１は、当該中皿２０を容器本体１０内に落下させないようにするためには、その大部分が容器本体１０側のフランジ１１上に載置できるようにすれば十分であるが、本実施形態の中皿２０では、図５に示すようにしてある。
【００４３】
図５は、容器本体１０、中皿２０、及び後述する蓋体３０を完全に重ねた状態を示したものであるが、この図５に示した中皿２０では、容器本体１０側のフランジ１１の環状凸部１１ａ外側面を覆うスカート部２１ａを有したものとしてある。
【００４４】
中皿２０の係止フランジ２１がスカート部２１ａを有したおくことによって、蓋体３０の嵌合フランジ３１を容器本体１０側のフランジ１１に嵌合する際に、このスカート部２１ａが容器本体１０に対する保持機能を発揮するものである。つまり、このスカート部２１ａは、容器本体１０側のフランジ１１の環状凸部１１ａ外側面を覆うものであるから、容器本体１０に載置した中皿２０が特に横方向の力を受けたとき、当該スカート部２１ａが容器本体１０側のフランジ１１の環状凸部１１ａ外側面に係止されることになり、中皿２０の容器本体１０に対する位置ズレを防止するのである。なお、実施形態では、容器本体１０のフランジ１１の環状凸部１１ａ外側に形成されている八角形状のひれ部が、横方向からの力を最初に吸収される部分であるため、中皿２０の位置ズレをより効果的に防止できるものになっている。
【００４５】
また、このスカート部２１ａは、蓋体３０の容器本体１０に対する嵌合完了時に、容器本体１０側のフランジ１１と、蓋体３０側の嵌合フランジ３１との間に完全に挟み込まれることになり、その後の、中皿２０の容器本体１０に対するガタ付きを防止することにもなるのである。さらに、本実施形態に係る容器本体１０側のフランジ１１には、図１及び図３の（イ）に示すように目印１２となる「粗面」を形成することによって、容器本体１０に中皿２０が完全に密着した状態で載置されていないので、消費者が容器本体１０から中皿２０を取り出し易くなっている。
【００４６】
蓋体３０は、容器本体１０に対する嵌合時に、図５に示したように、容器本体１０側のフランジ１１の外側に嵌合される嵌合フランジ３１を外周に有するものであるが、この嵌合フランジ３１は、この種の包装用容器における一般的なものである。なお、この蓋体３０の天板は、図５にも示したように、内部の中皿２０の最も高い部分に当接するようなものとして形成してある。
【符号の説明】
【００４７】
１００    包装用容器
１０    容器本体
１１    フランジ
１１ａ  環状凸部
１２    目印
２０    中皿
２１    係止フランジ
２１ａ  スカート部
３０    蓋体
３１    嵌合フランジ
【図１】
2017095118.tif 000003
【図２】
2017095118.tif 000004
【図３】
2017095118.tif 000005
【図４】
2017095118.tif 000006
【図５】
2017095118.tif 000007